(57)【要約】      （修正有）【課題】内外ケースの抜き差しが容易でかつ、外ケースの外れ防止作用を高めた工具収納ケースを提供する。【解決手段】工具収納ケース１は、内ケース１０と外ケース２０とによって構成される。外ケース２０の対角位置にある２つのコーナー部には、Ｈ字状の切り込みにより上向きバネ片２２ａと下向きバネ片２２ｂが形成される。各バネ片２２ａ，２２ｂの内面には内向き突起が一体に形成される。内ケース１０のコーナー部１４ａ〜１４ｄには、内向き突起と同一断面形状の外向き突起１５が等間隔で形成された突起群１６を備える。工具収納ケース１は、長さ可変の工具収納容器として使用することができ、外ケース２０を引き抜こうとするとき、上向きバネ片２２ａと下向きバネ片２２ｂが独立の撓み動作をし、外ケース２０の外れ防止作用を高める。【選択図】図１
0003146741.tif 000002
【実用新案登録請求の範囲】
【請求項１】
上端開口・下端閉鎖の筒状の内ケースと、下端開口・上端閉鎖の筒状の外ケースとによって構成され、以下の構成を備えたことを特徴とする工具収納ケース。
（１）前記内ケースは、少なくとも上端から所定範囲の部分に外へ飛び出す様に一体成形された同一形状の外向き突起が軸方向等間隔に並んだ突起群を備えていること。
（２）前記外ケースは、内外ケースとの嵌合時に前記突起群の突起間に嵌り込む形状の内向き突起を内面に備えたバネ片を備えていること。
（３）前記外ケースは、前記バネ片として、下から上に伸びる上向きバネ片と上から下に伸びる下向きバネ片とを備えていること。
【請求項２】
さらに、以下の構成をも備えたことを特徴とする請求項１記載の工具収納ケース。
（４）前記上向きバネ片及び下向きバネ片は、前記外ケースの壁面に形成されたＨ字状の切り込みによってその本体が形成されていること。
【請求項３】
さらに、以下の構成をも備えたことを特徴とする請求項１又は２記載の工具収納ケース。
（５）前記内ケースは、断面矩形状を呈する角筒体で構成され、前記突起群は、各コーナー部の外面に形成されていること。
（６）前記外ケースは、断面矩形状を呈する角筒体で構成され、前記上向きバネ片及び下向きバネ片は、対角位置にある少なくとも一組のコーナー部の下端開口の近傍に形成されていること。
【請求項４】
さらに、以下の構成をも備えたことを特徴とする請求項３記載の工具収納ケース。
（７）前記内ケース及び外ケースは、互いに嵌まり合う範囲のコーナー部が面取りされており、前記突起群，上向きバネ片及び下向きバネ片は、当該面取りされた部分に形成されていること。
【請求項５】
さらに、以下の構成をも備えたことを特徴とする請求項３記載の工具収納ケース。
（８）前記内ケースは、断面矩形状で各コーナー部が面取りされた形状を呈し、対面位置にある少なくとも２つの壁面に軸方向２本の切り込みと当該切り込み同士の上下一方の端部同士を連結する水平な切り込みとによって形成され、外面に外へ飛び出す水平な突条を有するバネ片を備えていること。
（９）前記内ケースに備えられたバネ片の突条の高さは、前記外ケースを閉じたときに外ケースの内壁面によって押されて当該バネ片を内方向へ撓ませる高さとされていること。
（１０）前記内ケースは、前記各壁面の内面側に、垂直方向に伸びる垂直片が一体に形成されていること。
【請求項６】
さらに、以下の構成をも備えたことを特徴とする請求項５記載の工具収納ケース。
（１１）前記内ケースは、前記突条付きのバネ片として、前記突起群の上側に前記突条が位置する上側バネ片と、前記突起群の下側に前記突条が位置する下側バネ片とを備えていること。
【請求項７】
さらに、以下の構成をも備えたことを特徴とする請求項１〜６のいずれか記載の工具収納ケース。
（１２）前記内ケースは、下端から所定高さの位置に前記外ケースの下端がそれ以上下降しない様にするストッパ用段部を備えていること。
【考案の詳細な説明】
【技術分野】
【０００１】
本考案は、収納ケースに係り、特に、ドリルやエンドミル等の棒状の工具を収納するための工具収納ケースに関するものである。
【背景技術】
【０００２】
従来、棒状の工具などを収納する工具収納ケースとして、内ケースの外面に形成した凹凸と外ケースの内面に形成した凹凸とを嵌合させて閉じた状態とする構造のものが知られている（特許文献１〜５）。
【０００３】
特許文献１に記載された工具収納ケースはブロー成形品で、外ケースの４つのコーナー部に内面に飛び出すウェブを形成し、内ケースの対角位置の２つのコーナー部に外へ膨らむ様に凸部列を形成している（図８（Ａ）参照）。
【０００４】
特許文献２に記載された工具収納ケースもブロー成形品で、内ケースの壁面中心に凹凸面を形成し、外ケース下端から伸びるストッパ片を係合させて閉じる様にしている（図８（Ｂ）参照）。
【０００５】
特許文献３に記載された工具収納ケースもブロー成形品で、内ケースの嵌合部分の対角位置外面に鋸刃状の突起列を形成し、外ケースの４つのコーナー部内面に鋸刃状の突起列を形成したものとなっている（図８（Ｃ）参照）。
【０００６】
特許文献４に記載された工具収納ケースは射出成形品で、内ケースの４つのコーナー部に凹部列が刻設され、外ケースの対角位置の２つのコーナー部に板バネ状可動片をＵ字状の切り込みによって形成し、この可動片の下端部内面に内ケースの凹部とほぼ同一の断面形状の突起を一体形成している（図８（Ｄ）参照）。
【０００７】
特許文献３に記載された工具収納ケースは射出成形品で、内ケースの４つのコーナー部の直近外面に各２列の凸部列を一体形成し、外ケースの４つのコーナー部の直近内面に２個ずつの凸部を一体形成している（図８（Ｅ）参照）。
【特許文献１】米国特許明細書４，５０９，６５６号
【特許文献２】実開昭６２−１０５１３４号
【特許文献３】特開平７−３１５３８１号
【特許文献４】特開平１０−３１６１４１号
【特許文献５】特開２０００−３１３４４２
【考案の開示】
【考案が解決しようとする課題】
【０００８】
これら従来の工具収納ケースは、いずれも長さ可変のものとして使用できるという利点がある。しかし、特許文献１，３，５は、壁面に凸設された突起同士を係合させる構造であることから強い係合が得られる様な設計とするとケースの開閉が困難になるため、遊びを大きくする必要があり、結果的にケースが外れやすいという問題がある。
【０００９】
これに対し、特許文献２，４は外ケース側のバネ片を係合手段として採用しているので、遊びを小さくしても抜き差しが可能となっている。しかし、外ケースに対して引き抜き方向の力が作用すると、バネ片が押し広げられ方向に変形されるため、外ケースの外れやすさ防止という作用には若干弱いものがある。
【００１０】
そこで、本考案は、棒状の工具を収納するための工具収納ケースにおいて、内外ケースの抜き差しが容易でかつ、外ケースの外れ防止作用をより高めることを目的としている。
【課題を解決するための手段】
【００１１】
上記目的を達成するためになされた本考案の工具収納ケースは、上端開口・下端閉鎖の筒状の内ケースと、下端開口・上端閉鎖の筒状の外ケースとによって構成され、以下の構成を備えたことを特徴とする。
（１）前記内ケースは、少なくとも上端から所定範囲の部分に外へ飛び出す様に一体成形された同一形状の外向き突起が軸方向等間隔に並んだ突起群を備えていること。
（２）前記外ケースは、内外ケースとの嵌合時に前記突起群の突起間に嵌り込む形状の内向き突起を内面に備えたバネ片を備えていること。
（３）前記外ケースは、前記バネ片として、下から上に伸びる上向きバネ片と上から下に伸びる下向きバネ片とを備えていること。
【００１２】
本考案の工具収納ケースによれば、閉じた状態で外ケースに引き抜き方向の力が作用したとき、下向きバネ片に加わる力と上向きバネ片に加わる力にはその作用方向等に相違が生じ、簡単に引き抜かれてしまうことがない。よって、外ケースの外れ防止作用が高まる。
【００１３】
ここで、本考案の工具収納ケースは、さらに、以下の構成をも採用するとよい。
（４）前記上向きバネ片及び下向きバネ片は、前記外ケースの壁面に形成されたＨ字状の切り込みによってその本体が形成されていること。
【００１４】
上向きバネ片と下向きバネ片の各本体をＨ字状の切り込みで同時に形成することができ、成形用の金型の構成をシンプルにすることができるからである。
【００１５】
また、本考案の工具収納ケースは、さらに、以下の構成をも採用するとよい。
（５）前記内ケースは、断面矩形状を呈する角筒体で構成され、前記突起群は、各コーナー部の外面に形成されていること。
（６）前記外ケースは、断面矩形状を呈する角筒体で構成され、前記上向きバネ片及び下向きバネ片は、対角位置にある少なくとも一組のコーナー部の下端開口の近傍に形成されていること。
【００１６】
外ケースと内ケースの嵌め合い位置を意識することなく外ケースのバネ片の内向き突起と、内ケースの外向き突起とを係合させることができるからである。
【００１７】
加えて、本考案の工具収納ケースは、さらに、以下の構成をも採用するとよい。
（７）前記内ケース及び外ケースは、互いに嵌まり合う範囲のコーナー部が面取りされており、前記突起群，上向きバネ片及び下向きバネ片は、当該面取りされた部分に形成されていること。
【００１８】
突起群やバネ片を精度良く形成できるからである。また、バネ片の本体を平板で構成できるので、バネ片自体の変形能力を十分に発揮させ、ケースが閉じ難くなり過ぎないからである。
【００１９】
また、本考案の工具収納ケースは、さらに、以下の構成をも採用するとよい。
（８）前記内ケースは、断面矩形状で各コーナー部が面取りされた形状を呈し、対面位置にある少なくとも２つの壁面に軸方向２本の切り込みと当該切り込み同士の上下一方の端部同士を連結する水平な切り込みとによって形成され、外面に外へ飛び出す水平な突条を有するバネ片を備えていること。
（９）前記内ケースに備えられたバネ片の突条の高さは、前記外ケースを閉じたときに外ケースの内壁面によって押されて当該バネ片を内方向へ撓ませる高さとされていること。
（１０）前記内ケースは、前記各壁面の内面側に、垂直方向に伸びる垂直片が一体に形成されていること。
【００２０】
嵌合のための突起群以外に、内ケースに上述の様な水平突条付きのバネ片を壁面部に設けることにより、ケースを閉じたときに、内ケース内の垂直片を内側へと移動させる様な変形を生じさせ、垂直片で収納した工具のシャンクをしっかりと保持した状態にもすることができるからである。
【００２１】
この（８）〜（１０）に加えて、本考案の工具収納ケースは、さらに、以下の構成をも採用するとよい。
（１１）前記内ケースは、前記突条付きのバネ片として、前記突起群の上側に前記突条が位置する上側バネ片と、前記突起群の下側に前記突条が位置する下側バネ片とを備えていること。
【００２２】
シャンクホールド力をより高めることができると共に、内外ケースの開閉作業に対する邪魔になり難いからである。
【００２３】
これら本考案の工具収納ケースは、さらに、以下の構成をも採用するとよい。
（１２）前記内ケースは、下端から所定高さの位置に前記外ケースの下端がそれ以上下降しない様にするストッパ用段部を備えていること。
【考案の効果】
【００２４】
本考案の工具収納ケースは、内外ケースの抜き差しが容易でかつ、外ケースの外れ防止作用をより高めることができる。
【考案を実施するための最良の形態】
【００２５】
次に、本考案の実施の形態について説明する。第１実施形態の工具収納ケース１は、図１に示す様に、上端開口・下端閉鎖の筒状の内ケース１０と、下端開口・上端閉鎖の筒状の外ケース２０とによって構成されている。これら内ケース１０及び外ケース２０は、プラスチックスを材料とする射出成形によって製造されている。
【００２６】
内ケース１０には、図２に示す様に、外ケース２０を閉じたときのストッパとして作用する段部１１を備えたグリップ部１２が下端部に形成されている。また、内ケース１０は、このグリップ部１２より上側は正方形断面の各コーナーが面取りされた形状の嵌合部本体１３とされている。この嵌合部本体１３の面取りがなされた各コーナー部１４ａ〜１４ｄには、外へ飛び出す様に一体成形された同一形状の外向き突起１５が軸方向等間隔に多数並んだ突起群１６が備えられている。各外向き突起１５は、垂直断面において二等辺台形形状となっており、窪みに相当する部分も同じ形状の二等辺台形が抜けた状態とされている。なお、内ケース１０の底部には補強用のリブ等が一体成形されているこの。内ケース１０は、開口端のエッジ以外の部分については、それぞれの角にＲが取られている。従って、図面上は面取り部分の直線は正面図等には表れない。
【００２７】
外ケース２０は、図３に示す様に、内壁面が内ケース１０の嵌合本体１３の外形形状に対して突起１５の高さ分だけ広くなる様な内面形状をした筒体として構成されている。そして、外ケース２０の全長は、内ケース１０の嵌合本体１３の長さよりも長くされている。そして、外ケース２０の４つのコーナー部（面取りされた部分）２１ａ〜２１ｄの内、対角位置にある２つのコーナー部２１ａ，２１ｃには、Ｈ字状の切り込みが入れられ、下から上に伸びる上向きバネ片２２ａと上から下に伸びる下向きバネ片２２ｂとが形成されている。外ケース２０も、開口端のエッジ及びバネ片の切り込み以外の部分については、それぞれの角にＲが取られている。従って、図面上は面取り部分の直線は正面図等には表れない。
【００２８】
これらのバネ片２２ａ，２２ｂの内面には、それぞれ内ケース１０の外向き突起１５と同一の断面形状をした内向き突起２３ａ，２３ｂが一体に突設形成されている。また、これら上下の内向き突起２３ａ，２３ｂの間隔は、突起群１６における外向き突起１５同士の間隔と等しくされている。
【００２９】
また、内ケース１０の突起群１６の外向き突起１５と、外ケース２０の各バネ片２２ａ，２２ｂの内向き突起２３ａ，２３ｂとの位置関係は次の様にも構成されている。即ち、図４（Ｃ）に示す様に、外ケース２０の下端を内ケース１０の段部１１に当接する状態としたときに、内ケース１０の一番下の外向き突起１５が、外ケース２０の内向き突起２３ａ，２３ｂに挟まれた状態となる様な位置関係とされている。なお、外ケース２０の天井部にも補強用のリブ等が一体成形されている。
【００３０】
本実施形態の工具収納ケース１は、図４に示す様に、内ケース１０のコーナー部１４ａ〜１４ｄに縦に並んでいる外向き突起１５のいずれか一つを、外ケース１０の内向き突起２３ａ，２３ｂの間に挟む状態とすることで、長さ可変の工具収納容器として使用することができる。そして、閉じた状態から外ケース２０を引き抜こうとするとき、上向きバネ片２２ａと下向きバネ片２２ｂは、それぞれ内外へ撓む作用をしながら内向き突起２３ａ，２３ｂが外向き突起１５をかわしながら抜き出されていく。このとき、上向きバネ片２２ａと下向きバネ片２２ｂは独立の動作をするので、それぞれが内外への撓むタイミングには少しズレている。この結果、引き抜き力が作用したときの外ケース２０の外れ防止作用が高くなっている。
【００３１】
次に、第２実施形態について説明する。第２実施形態の工具収納ケース２は、図５に示す様に、上端開口・下端閉鎖の筒状の内ケース３０と、下端開口・上端閉鎖の筒状の外ケース２０とによって構成されている。なお、外ケース２０は、第１実施形態と同じものである。
【００３２】
内ケース３０には、図６に示す様に、外ケース２０を閉じたときのストッパとして作用する段部３１を備えたグリップ部３２が下端部に形成されている。また、内ケース３０は、このグリップ部３２より上側は正方形断面の各コーナーが面取りされた形状の嵌合部本体３３とされている。この嵌合部本体３３の面取りがなされた各コーナー部３４ａ〜３４ｄには、外へ飛び出す様に一体成形された同一形状の外向き突起３５が軸方向等間隔に並んだ突起群３６が備えられている。各外向き突起３５は、垂直断面において二等辺台形形状となっており、窪みに相当する部分も同じ形状の二等辺台形が抜けた状態とされている。第２実施形態においても、内ケース３０は、開口端のエッジ以外の部分については、それぞれの角にＲが取られている。従って、図面上は面取り部分の直線は正面図等には表れない。
【００３３】
本実施形態においても、外ケース２０は、内壁面が内ケース３０の嵌合本体３３の外形形状に対して突起３５の高さ分だけ広くなる様な内面形状をした筒体として構成されている。そして、外ケース２０の全長は、内ケース３０の嵌合本体３３の長さよりも長くされている。そして、外ケース２０の４つのコーナー部（面取りされた部分）２１ａ〜２１ｄの内、対角位置にある２つのコーナー部２１ａ，２１ｃには、Ｈ字状の切り込みが入れられ、下から上に伸びる上向きバネ片２２ａと上から下に伸びる下向きバネ片２２ｂとが形成されている。これらのバネ片２２ａ，２２ｂの内面には、それぞれ内ケース３０の外向き突起３５と同一の断面形状をした内向き突起２３ａ，２３ｂが一体に突設形成されている。また、これら上下の内向き突起２３ａ，２３ｂの間隔は、突起群３６における外向き突起３５同士の間隔と等しくされている。また、内ケース３０の突起群３６の外向き突起３５と、外ケース２０の各バネ片２２ａ，２２ｂの内向き突起２３ａ，２３ｂとの位置関係は次の様にも構成されている。即ち、図７（Ｂ）に示す様に、外ケース２０の下端を内ケース３０の段部３１に当接する状態としたときに、内ケース３０の一番下の外向き突起３５が、外ケース２０の内向き突起２３ａ，２３ｂに挟まれた状態となる様な位置関係とされている。なお、外ケース２０の天井部にも補強用のリブ等が一体成形されている。この第２実施形態においても、外ケース２０は、開口端のエッジ及びバネ片の切り込み以外の部分については、それぞれの角にＲが取られている。従って、図面上は面取り部分の直線は正面図等には表れない。
【００３４】
また、本実施形態では、内ケース３０には、対面位置にある２つの壁面４１ａ，４１ｃに、軸方向２本の切り込みの上端部同士を連結する水平な切り込みとによって逆Ｕ字状に形成され、外面に外へ飛び出す水平な突条４２ａ，４２ｂを有する上下のバネ片４３ａ，４３ｂも形成されている。上側の突条付きバネ片４３ａは突起群３６の上側に突条４２ａが位置する様に形成され、下側の突状付きバネ片４３ｂは突起群３６の下側に突条４２ｂが位置する様に形成されている。また、これらの突条４２ａ，４２ｂの高さは、外ケース２０を閉じたときに外ケース２０の内壁面によって押されてバネ片４３ａ，４３ｂを内方向へ撓ませる高さとされている。
【００３５】
さらに、内ケース３０には、各壁面４１ａ〜４１ｄの内面側に、垂直方向に伸びる垂直片４５ａ〜４５ｄが一体に形成されている。これら４つの垂直片４５ａ〜４５ｄの中心部は工具のシャンクの直径とほぼ同じ程度の隙間ができる様になっている。
【００３６】
この第２実施形態の工具収納ケース２においても、外ケース２０が係合手段としてＨ字状のバネ片２２ａ，２２ｂと内向き突起２３ａ，２３ｂを備えているから、閉じた状態において外ケースの脱落防止効果が高くなっている。即ち、第２実施形態の工具収納ケース２は、図７に示す様に、内ケース３０のコーナー部３４ａ〜３４ｄに縦に並んでいる外向き突起３５のいずれか一つを、外ケース２０の内向き突起２３ａ，２３ｂの間に挟む状態とすることで、長さ可変の工具収納容器として使用することができる。そして、閉じた状態から外ケース２０を引き抜こうとするとき、上向きバネ片２２ａと下向きバネ片２２ｂは、それぞれ内外へ撓む作用をしながら内向き突起２３ａ，２３ｂが外向き突起３５をかわしながら抜き出されていく。このとき、上向きバネ片２２ａと下向きバネ片２２ｂは独立の動作をするので、それぞれが内外への撓むタイミングには少しズレている。この結果、引き抜き力が作用したときの外ケース２０の外れ防止作用が高くなっている。
【００３７】
そして、内ケース３０に突条付きバネ片４３ａ，４３ｂを備えさせ、外ケース２０を閉じたときに突状４２ａ，４２ｂが外ケース内面に押されてバネ片４３ａ，４３ｂを内へ撓ませ、垂直片４５ａ，４５ｃで工具のシャンクをしっかりとホールドすることができる構造にもなっている。
【００３８】
以上、本考案の実施の形態について説明したが、本考案はこの実施の形態に限られるものではなく、その要旨を逸脱しない範囲内においてさらに種々の形態を採用することができることはもちろんである。
【図面の簡単な説明】
【００３９】
【図１】第１実施形態の工具収納ケースの説明図である。
【図２】第１実施形態の工具収納ケースの内ケースを示し、（Ａ）は平面図、（Ｂ）は正面図、（Ｃ）は正面左４５度から見た図、（Ｄ）はｇ−ｇ断面図、（Ｅ）はｈ−ｈ断面図である。
【図３】第１実施形態の工具収納ケースの外ケースを示し、（Ａ）は平面図、（Ｂ）は底面図、（Ｃ）は正面図、（Ｄ）は正面左４５度から見た図、（Ｅ）は正面右４５度から見た図、（Ｆ）はｉ−ｉ断面図、（Ｇ）はｊ−ｊ断面図、（Ｈ）はｋ−ｋ断面図である。
【図４】第１実施形態の工具収納ケースのｊ−ｊ線と同じ切断面を示し、（Ａ）は内外ケースを分離した状態、（Ｂ）は内外ケースを途中まで嵌め合った状態、（Ｃ）は内外ケースの嵌め合いを最も短くした状態の各断面図である。
【図５】第２実施形態の工具収納ケースの説明図である。
【図６】第２実施形態の工具収納ケースの内ケースを示し、（Ａ）は平面図、（Ｂ）は正面図、（Ｃ）はｅ−ｅ断面図、（Ｄ）は右側面図、（Ｅ）はｆ−ｆ断面図、（Ｆ）は正面左４５度から見た図、（Ｇ）はｇ−ｇ断面図、（Ｈ）は正面右４５度から見た図、（Ｉ）ｈ−ｈ断面図である。
【図７】第２実施形態の工具収納ケースのｊ−ｊ線と同じ切断面を示し、（Ａ）は内外ケースを分離した状態、（Ｂ）は内外ケースの嵌め合いを最も短くした状態、（Ｃ）は内外ケースの嵌め合いを最も長くした状態の各断面図である。
【図８】従来技術の説明図である。
【符号の説明】
【００４０】
１・・・第１実施形態の工具収納ケース
１０・・・内ケース
１１・・・段部
１２・・・グリップ部
１３・・・嵌合部本体
１４ａ〜１４ｄ・・・コーナー部
１５・・・外向き突起
１６・・・突起群
２０・・・外ケース
２１ａ〜２１ｄ・・・コーナー部
２２ａ・・・上向きバネ片
２２ｂ・・・下向きバネ片
２３ａ，２３ｂ・・・内向き突起
２・・・第２実施形態の工具収納ケース
３０・・・内ケース
３１・・・段部
３２・・・グリップ部
３３・・・嵌合部本体
３４ａ〜３４ｄ・・・コーナー部
３５・・・外向き突起
３６・・・突起群
４１ａ〜４１ｄ・・・壁面
４２ａ，４２ｂ・・・水平な突条
４３ａ，４３ｂ・・・突条付きバネ片
４５ａ〜４５ｄ・・・垂直片
【図１】
0003146741.tif 000003
【図２】
0003146741.tif 000004
【図３】
0003146741.tif 000005
【図４】
0003146741.tif 000006
【図５】
0003146741.tif 000007
【図６】
0003146741.tif 000008
【図７】
0003146741.tif 000009
【図８】
0003146741.tif 000010